(57)【特許請求の範囲】
【請求項１】
記録媒体に画像転写を行う画像転写手段と、前記記録媒体の幅を検出する幅検出手段と、前記記録媒体への画像転写を阻止する転写遮蔽手段と、前記幅検出手段で検出された記録媒体の幅を基に、その幅方向他端側へ前記転写遮蔽手段を移動させる遮蔽制御手段とを有し、
前記幅検出手段は、記録媒体の片側の送りを行う固定送り手段に設けられた記録媒体の幅検出原点を検知するホームポジション検知手段と、前記記録媒体の幅方向に移動でき且つ該記録媒体の他側の送りを行う移動送り手段に設けられた記録媒体の幅方向他側を検知する他端側検知手段と、前記両検知手段間を移動させて両間の距離を測定する測定手段と有することを特徴とする画像形成装置。
【請求項２】
前記測定手段は、ホームポジション検知手段側から他端側検知手段側へ移動させて、両間の距離を測定することを特徴とする請求項１記載の画像形成装置。
【請求項３】
電源投入時に、前記測定手段の移動を行わせ、記録媒体の幅を測定することを特徴とする請求項１又は２記載の画像形成装置。
【請求項４】
前記両送り手段を作動させて、自動的に記録媒体の送り操作を行う時に、前記測定手段の移動を行わせ、記録媒体の幅を測定することを特徴とする請求項１又は２記載の画像形成装置。
【請求項５】
前記記録媒体の幅変更があったことが通知された時に、前記測定手段の移動を行わせ、記録媒体の幅を測定することを特徴とする請求項１又は２記載の画像形成装置。
【請求項６】
前記記録媒体の幅変更があったことを検出した時に、前記測定手段の移動を行わせ、記録媒体の幅を測定することを特徴とする請求項１又は２記載の画像形成装置。
【請求項７】
移動した前記測定手段で他端側検知手段を検出させておき、これが検出されなくなった時に、記録媒体の幅変更があったことの検出を行う請求項６記載の画像形成装置。
【請求項８】
上記転写遮蔽手段が、転写帯電器部分に備えられたクリーナに兼用されていることを特徴とする請求項１〜７いずれか１つに記載の画像形成装置。
【請求項９】
上記クリーナに備えられたパッドの解放側が、カバーで覆われていることを特徴とする請求項８記載の画像形成装置。
【発明の詳細な説明】
【０００１】
【発明の属する技術分野】
本発明は、画像形成装置に関し、特に用紙などの記録媒体の幅測定動作を自動的に行わせ、画像形成幅の決定を容易にすると共に、転写性の向上を図らんとするものである。
【０００２】
【従来の技術】
用紙などの記録媒体に印字を含む画像を形成するプリンタなどの画像形成装置では、その幅（用紙幅）に応じて、印字幅などの画像形成幅が決定される。そのため、オペレータは、所定の設定手段を使用して予め用紙幅をセットすることで、間接的に印字幅の設定を行っている。
【０００３】
この用紙幅のセットを自動的に行うために、用紙送りを行う送り手段の近傍に、用紙幅方向にセンサを設置しておき、該センサによって、用紙幅の検出を行う構成が用いられることもある。しかし、そのような構成でも、用紙幅に関係なく任意の印字幅で、印刷が行われていた。
【０００４】
【発明が解決しようとする課題】
帯電されたドラムなどにトナーなどの微粒状体を付着させ、それを記録媒体に圧着させて、画像転写を行わせる画像形成装置では、用紙端部から（記録媒体として連続紙を使用する場合は、その近傍のトラクタ用穿孔からも）帯電が回り込み、転写品質（印刷品質）が劣化してしまうことが多い。特に用紙幅が変更されることが前提になる構成の場合は、その傾向が顕著である。
【０００５】
さらに上記センサとして、高価なフォトセンサなどが用いられる場合は、用紙幅方向全部に並べて設置したりはせず、使用される用紙幅に対応した位置に最少の数のセンサを設けて、用紙幅の検出を行わせている。
【０００６】
しかし予定されているのとは異なる用紙幅のものに用紙が変更されると、上記従来構成では、用紙幅の検出ができなくなってしまう。
【０００７】
本発明は以上のような問題を解決するため創案されたもので、本願の第１の目的は、記録媒体に画像を形成する構成において、記録媒体の幅変更が行われた場合でも、転写品質の優れた画像形成装置を提供せんとするものである。
【０００８】
さらに本願の第２の目的は、安価な構成で、任意の幅の記録媒体につき、自動的にその幅を検出できる画像形成装置を提供せんとするものである。
【０００９】
【課題を解決するための手段】
本願請求項１の発明の画像形成装置は、
記録媒体に画像転写を行う画像転写手段と、
前記記録媒体の幅を検出する幅検出手段と、
前記記録媒体への画像転写を阻止する転写遮蔽手段と、
前記幅検出手段で検出された記録媒体の幅を基に、その幅方向他端側へ前記転写遮蔽手段を移動させる遮蔽制御手段と
を有することを基本的特徴としている。
【００１０】
上記構成では、前記遮蔽制御手段が、幅検出手段で検出された記録媒体の幅を基に、その幅方向に前記転写遮蔽手段を移動させ、該転写遮蔽手段によって、記録媒体の前記他端側での画像転写手段の画像転写を阻止する。そのため、記録媒体の幅の変更があっても、常に記録媒体端部に上記転写遮蔽手段が移動して、該端部における帯電の回り込みを防ぐことができ、転写品質を損なうことがない。
【００１１】
さらに本願請求項２の画像形成装置における幅検出手段の構成は、
記録媒体の片側の送りを行う固定送り手段に設けられた記録媒体の幅検出原点を検知するホームポジション検知手段と、
前記記録媒体の幅方向に移動でき且つ該記録媒体の他側の送りを行う移動送り手段に設けられた記録媒体の幅方向他側を検知する他端側検知手段と、
前記両検知手段間を移動させて両間の距離を測定する測定手段と
有することを特徴としている。
【００１２】
本構成は、トラクタなどの記録媒体の送りを行う送り手段（記録媒体の幅変更を前提としているため、そのうち一方は記録媒体の幅方向に移動可能なものである）を有しており、これらの送り手段に上記検知手段を夫々固定している。そして上記測定手段が、両検知手段間を移動して両間の距離を測定することで、記録媒体の幅を測定することができる。そのため、記録媒体の幅変更があった際に、安価な構成で、どのような幅のものでも、自動的に幅検出ができるようになる。
【００１３】
前記測定手段による測定は、ホームポジション検知手段側から他端側検知手段側へ移動させて、両間の距離を測定するようにすると、最終的には、必ず他端側検知手段に行き着き、測定不能となることはない（記録媒体幅方向の任意の位置から測定手段をどちらか一方に移動させると、必ず他端側検知手段に行き着くという保証はない）。また行き着いた所から反転させて他端側検知手段に移動させるようにした場合は、行き着くまでに時間がかかることになるのに対し、このように操作すると、結局検出時間が短くなることになる。さらに一旦電源が落とされたとしても、上記幅検出原点（ホームポジション）から測定手段を移動させるのであるから、位置の記憶がなくなって、正確な幅測定ができなくなるということはない。
【００１４】
上記のように一旦電源が切られると、電源切断中の変化がわからないため、電源投入時には、必ず前記測定手段の移動を行わせ、記録媒体の幅を測定させるようにすると良い。
【００１５】
記録媒体が装置内から一旦なくなって、あらためてその送り（紙送り）を行うオートロード時、すなわち、前記両送り手段を作動させて、自動的に記録媒体の送り操作を行う時に、その記録媒体の幅が変わっている可能性もある。そのため、そのような場合は、前記測定手段の移動を行わせ、記録媒体の幅を測定するようにすると良い。
【００１６】
オペレータが用紙の張り具合などを調整するために、オートロード後に、用紙幅を変更することもある。また何らかの原因（規格外の用紙であった場合やメカの不具合など）で上記オートロードが実行されないことがあり、そのような場合はオペレータがマニュアルで用紙をセットすることもある。以上のような場合は、用紙幅が変更されたという明確なトリガは得られないので、オペレータ側でオートロードスイッチを押してもらうなど、前記記録媒体の幅変更があったことを通知してもらわなければならない。そのような通知がなされた時に、記録媒体の幅変更があったのであるから、前記測定手段の移動を行わせ、記録媒体の幅を測定するようにすると良い。
【００１７】
また移動した前記測定手段で他端側検知手段を検出させておき、これが検出されなくなった時に、記録媒体の幅変更があったとして、記録媒体の幅変更検出を行うことも可能となる。このようにして、記録媒体の幅変更があったことを検出した時に、あらためて前記測定手段の移動を行わせ、記録媒体の幅を測定するようにすると、記録媒体の幅変更検知が自動的になされ、その結果幅測定動作が速く行われるようになる。
【００１８】
さらに後述する実施例に示すように、上記転写遮蔽手段は、転写帯電器部分に備えられたクリーナに兼用されるように設けられていても良い。
【００１９】
その場合、上記クリーナに備えられたパッドの解放側は、完全遮蔽のために、カバーで覆われていると良い。
【００２０】
【発明の実施の形態】
以下、本発明の実施の形態を図面と共に説明する。
図１は、送り孔を有する連続紙Ｐの両面印刷構成を備えた本発明の一実施の形態の画像形成装置の構成図である。また図２は、本画面形成装置の構成要素を示すブロック図である。本画面形成装置の構成は、裏面印刷機構１と表面印刷機構２とを有する画像転写手段と、連続紙Ｐの幅を検出する幅検出手段３と、画像転写手段の画像転写を制御する画像形成制御手段４とで構成される。
【００２１】
図１のホッパ９０は、未印刷の連続紙Ｐを積載しておくものである。用紙搬送トラクタ７は、連続紙Ｐの送り孔に係合して、連続紙Ｐを矢印方向に搬送する。本発明の画像転写手段を構成する裏面印刷機構１は、電子写真印刷機構で構成され、連続紙Ｐの裏面を印刷する。
【００２２】
この裏面印刷機構１は、感光ドラム１７と、感光ドラム１７を帯電する帯電器１０と、感光ドラム１７に１ラインの光像を露光するＬＥＤヘッド１１とを有する。このＬＥＤヘッド１１は、１ライン分の個数のＬＥＤ(発光ダイオード)を配列したＬＥＤアレーで構成されている。
【００２３】
現像器１２は、感光ドラム１７の潜像を現像する。転写帯電器１３は、感光ドラム１７の現像像を連続紙Ｐに転写する。転写ガイドローラ１４は、転写時に、連続紙Ｐを感光ドラム１７に押しつけるものである。転写ガイドローラ１４は、非転写時には、退避して、感光ドラム１７の連続紙Ｐの接触を防止する。クリーナ１５は、感光ドラム１７の残留トナーを回収する。除電ランプ１６は、感光ドラム１７の残留電位を除電する。
【００２４】
同じく画像転写手段を構成する表面印刷機構２も、電子写真印刷機構で構成され、連続紙Ｐの表面を印刷する。表面印刷機構２は、裏面印刷機構１に対し、用紙搬送方向の下流に配置されている。
【００２５】
この表面印刷機構２は、感光ドラム２７と、感光ドラム２７を帯電する帯電器２０と、感光ドラム２７に１ラインの光像を露光するＬＥＤヘッド２１とを有する。このＬＥＤヘッド２１は、１ライン分の個数のＬＥＤ(発光ダイオード)を配列したＬＥＤアレーで構成されている。
【００２６】
現像器２２は、感光ドラム２７の潜像を現像する。転写帯電器２３は、感光ドラム２７の現像像を連続紙Ｐに転写する。転写ガイドローラ２４は、転写時に、連続紙Ｐを感光ドラム２７に押しつけるものである。転写ガイドローラ２４は、非転写時には、退避して、感光ドラム２７の連続紙Ｐの接触を防止する。クリーナ２５は、感光ドラム２７の残留トナーを回収する。除電ランプ２６は、感光ドラム２７の残留電位を除電する。
【００２７】
中和帯電器９２は、裏面印刷機構１と、表面印刷機構２との間に設けられ、裏面印刷機構１で電位を帯びた連続紙Ｐの表面の電位を中和する。これにより、表面印刷機構２での転写動作を安定に行うことができる。
【００２８】
ガイドローラ９３は、縦方向に搬送された連続紙Ｐを水平方向に方向変更し、定着器８に導く。定着器８は、フラッシュ定着器で構成され、連続紙Ｐの両面のトナー像を定着する。スタッカ９１は、印刷された連続紙Ｐをスタックするものである。
【００２９】
この画像形成装置では、裏面印刷機構１が表面印刷機構２に対し先行して、印刷を開始する。又、搬送パスを縦方向にし、且つ搬送パスを挟んで裏面印刷機構１と、表面印刷機構２とを設けている。このため、両面印刷を行う該画面形成装置を小型にできる。
【００３０】
本構成における幅検出手段３は、図３に示すように、用紙搬送トラクタ７近傍に設けている。用紙搬送トラクタ７は、用紙搬送方向に２組の用紙送り手段で構成されており、上流側のトラクタ７０ａ、７０ｂのうち、左側トラクタ７０ａは、固定されており、反対の右側トラクタ７０ｂは、用紙搬送方向に直交する方向に移動可能となっている。また下流側のトラクタ７０ｃ、７０ｄもこれらと同様な構成である。両右側トラクタ７０ｂ及び７０ｄは、回転軸７１及びプーリ７２ａ、７２ｂ、７２ｃ、７２ｄを介して架け渡されたタイミングベルト７３ａ、７３ｂに係合されており、前記回転軸７１を回転させることで、用紙搬送方向に直交する方向に移動する。これらのトラクタ７０ａ〜７０ｄは、プーリ７４ａ〜７４ｄ、タイミングベルト７５ａ及び７５ｂを介してモータ７６に連動して回転する回転軸７７ａ、７７ｂにより、同期して回転し、連続紙Ｐを搬送する。
【００３１】
上流側のトラクタ７０ａ、７０ｂには、図４に示すように、トラクタ７０ａに取り付けられた連続紙ＰのホームポジションＨＰを検知するセンサ７８ａと、トラクタ７０ｂに設けられた連続紙Ｐの幅方向他側を検知するセンサ７８ｂが設けられている。図５に示すように、これらのトラクタ７０ａ、７０ｂから上記センサの一部を構成する縦断面横向き凹部７９ａ、７９ｂが用紙搬送方向上流側に向けて突出している。そして図３に示すように、用紙搬送方向に直交する方向に夫々設けられたプーリ３０ａ及び３０ｂと、該プーリ３０ａを回転させるステッピングモータ３１と、前記プーリ３０ａ及び３０ｂ間に架け渡されたタイミングベルト３２と、該タイミングベルト３２に固定され、前記センサ７８ａ及び７８ｂの凹部７９ａ及び７９ｂに嵌入できるフォトセンサで構成された片部を有するガイド３３と、該ガイド３３が移動して凹部７９ａを検出した時から凹部７９ｂを検出した時までの間の前記ステッピングモータ３１の移動パルスをカウントして、その間の距離を測定する測定回路（図示なし）が設けられ、これらの構成により、幅検出手段３が構成されている。
【００３２】
前記センサ７８ａは、トラクタ７０ａ及び７０ｃを動かさなくても、常に連続紙ＰのホームポジションＨＰを検知できる。他方用紙幅を変更する場合、オペレータは、前記回転軸７１を回転させ、右側トラクタ７０ｂ及び７０ｄを用紙搬送方向に直交する方向に移動させる。それによって、その用紙幅に合わせて、該トラクタ７０ｂ及び７０ｄの位置設定をすることができる。この際、センサ７８ｂは、変更された連続紙Ｐの幅方向他側を検知する。そしてオートロードスイッチなどを押して、連続紙Ｐをトラクタ７０ａ〜７０ｄにセットし、用紙搬送を行わせる。
【００３３】
連続紙Ｐをトラクタ７０ａ〜７０ｄにセットした段階で、オートロードスイッチなどが押される（或いは連続紙Ｐがトラクタ７０ａ〜７０ｄにセットされた状態で電源が投入される）と、前記幅検出手段３は、測定回路によって、一旦ガイド３３をホームポジションＨＰ側に移し、このホームポジションＨＰ側からセンサ７８ｂの設けられた他側に向けて移動させ、上述のように、ガイド３３が凹部７９ａを検出した時から凹部７９ｂを検出した時までの間の前記ステッピングモータ３１の移動パルスをカウントして、その間の距離を測定する。
【００３４】
また本発明の画像形成制御手段４は、前記幅検出手段３で検出された連続紙Ｐの幅を基に、印字書き出し位置を決定し、画像転写手段の画像転写を制御する構成である。図６は、このような画像形成制御手段４を構成する回路ブロック図、図７は図６の印字制御部の回路図、図８は、図６の印字制御部のタイムチャート図を、各示している。
【００３５】
メイン制御部４０は、マイクロプロセッサで構成され、以下に説明する各部を制御する。上位制御部４１は、ホストコンピュータから転送される印字データを展開して、且つ裏面の印字データ１と表面の印字データ２とを出力する。第１の印字制御部４２は、裏面のＬＥＤヘッド１１を制御する。即ち、印字制御部４２は、水平同期信号ＰＨＳＰを発生し、この水平同期信号ＰＨＳＰ(図７参照)に応じて、裏面のＬＥＤヘッド１１に裏面の印字データを１ラインづつ出力し、且つ裏面のＬＥＤヘッド１１に印字制御信号(図７参照)を出力する。
【００３６】
第２の印字制御部４３は、表面のＬＥＤヘッド２１を制御する。即ち、印字制御部４３は、水平同期信号ＰＨＳＰと、基準クロックＥＸＣＬ５００Ｎ(図７参照)に応じて、表面のＬＥＤヘッド２１に表面の印字データを１ラインづつ出力し、且つ表面のＬＥＤヘッド２１に印字制御信号(図７参照)を出力する。
【００３７】
第１の印字制御部４２と、第２の印字制御部４３とは、図７にて後述するように、同一の回路で構成されている。そして、第２の印字制御部４３は、第１の印字制御部４２の発生した水平同期信号ＰＨＳＰと基準クロックＣＬ５００Ｎによってディレー回路４４で作られた新たな水平同期信号ＰＨＳＰに基づき、印字制御する。該ディレー回路４４は、第１の印字制御部４２からの水平同期信号ＰＨＳＰを所定量遅延して、表面の印刷制御のための水平同期信号ＰＨＳＰを作成するものである。
【００３８】
この構成においては、第１の印字制御部４２が、露光開始タイミングを制御する水平同期信号ＰＨＳＰを発生し、第１の印字制御部４２は、この水平同期信号ＰＨＳＰに応じて、印字制御する。そして、第２の印字制御部４３は、この第１の印字制御部４２が発生した水平同期信号ＰＨＳＰをディレー回路４４で遅延させて新たなＰＨＳＰとして、それに基づき、印字制御する。このため、裏面と表面の印刷機構の各々に、印字制御部４２、４３を設けても、裏面と表面の印字制御を同期させることができ、表面と裏面との印字位置ずれを防止することができる。
【００３９】
又、裏面のＬＥＤヘッド１１が、表面のＬＥＤヘッド２１に先行して、露光を開始する。更に、感光ドラム１７と２７の配置及び両ＬＥＤヘッド１１と２１の配置位置により、ＬＥＤヘッド１１の露光開始から所定時間経過後に、ＬＥＤヘッド２１の露光を開始する必要がある。
【００４０】
このため、ディレー回路４４は、裏面の水平同期信号ＰＨＳＰを所定時間遅延した表面の水平同期信号ＰＨＳＰを発生する。この遅延時間を調整することにより、連続紙Ｐに対する転写位置の相違にかかわらず、連続紙Ｐの裏面と表面との印刷位置ずれを防止することができる。
【００４１】
このディレー回路４４の遅延時間は、裏面転写位置と表面転写位置との距離Ｌ及びＬＥＤヘッドの配置位置に応じて、調整することができる。例えば、ディレー回路４４をカウンタで構成する。そして、遅延量をカウンタにロードして、水平同期信号ＰＨＳＰを遅延量だけ遅延して、第２の水平同期信号ＰＨＳＰを発生する。この遅延量の設定は、メイン制御部４０が行う。
【００４２】
又、表面と裏面との相対的な印刷位置ずれの調整の他に、連続紙Ｐに対する用紙搬送方向の印字書き出し位置を、表面と裏面とで独立して調整することが望まれる。このため、裏面のＬＥＤヘッド１１で露光された印字開始位置は、図６の用紙搬送トラクタ７の搬送開始タイミングを可変にすることにより、調整する。メイン制御部４０は、この用紙搬送トラクタ７の搬送開始タイミングを制御する。そして、表面のＬＥＤヘッド２１で露光された印字開始位置は、この用紙搬送タイミングの可変量に応じたディレー回路４４の遅延時間により調整する。メイン制御部４０は、このディレー回路４４の遅延時間を制御する。このようすると、用紙搬送方向の印字書き出し位置を、表面と裏面とで独立して調整することができる。
【００４３】
さらに本構成では、用紙搬送方向に直交する方向における印字書き出し位置についても、このメイン制御部４０で構成される画像形成制御手段４により、調整することができるようになっている。すなわち該画像形成制御手段４は、前記幅検出手段３で検出された連続紙Ｐの幅を基に、用紙搬送方向に直交する方向における印字書き出し位置を決定し、裏面印刷機構１の印刷制御を行う。
【００４４】
図９及び図１０に示すように、表面と裏面とで印字データの転送方向(走査方向)は逆になるように、ＬＥＤヘッド１１及び２１を配置しているので、表面と裏面の印字データのシフト方向(走査方向)は、表面と裏面とで逆になる。この場合、様々な用紙幅の用紙に印刷するため、印字書き出し位置を変える必要がある。図９に示すように、表面の１ラインの印字データの印字書き出し位置は、用紙変更によって変更することはないが、裏面の１ラインの印字データの印字書き出し位置は、用紙幅に応じて、当然異なるようにしなければならない。このため、裏面の印字書き出し位置調整回路４２５(図７参照)は、裏面の印字データをメイン制御部４０の用紙幅信号（前記幅検出手段３で検出された連続紙Ｐの幅に対応して作成される信号）に応じて、ライン方向にシフトさせている。後述するように、メイン制御部４０は、幅検出手段３の測定回路から送られてきた用紙幅信号をデコードして、シフト量設定値に変換し、印字書き出し位置調整回路４２５に送る。そして図１１に示すように、該印字書き出し位置調整回路４２５のレジスタに、該シフト量設定値を格納し、更にその値をバレルシフト回路４２５ａに入力して、連続紙Ｐの裏面における印字書き出し位置まで、上記印字データをシフトさせる。
【００４５】
次に、印字制御部４２及び４３について、図７により詳細に説明する。印字制御部４２は、クロックセレクト回路４２０と、クロック発生回路４２１と、水平同期信号作成回路４２２と、信号セレクト回路４２３と、データカウンタ回路４２４と、印字書き出し位置調整回路４２５と、ＬＥＤ発光制御回路４２６と、印字データ読出回路４２７とを有する。印字制御部４３も、同様に、クロックセレクト回路４３０と、クロック発生回路４３１と、水平同期信号作成回路４３２と、信号セレクト回路４３３と、データカウンタ回路４３４と、印字書き出し位置調整回路４３５と、ＬＥＤ発光制御回路４３６と、印字データ読出回路４３７とを有している。
【００４６】
クロック発生回路４２１及び４３１は、分周回路で構成され、外部の水晶発振器４４０のクロックがクロックセレクト回路４２０及び４３０で選ばれた場合、基準クロックＣＬ１００Ｎを発生し、また外部基準クロックＥＸＣＬ５００Ｎが、クロックセレクト回路４２０及び４３０で選ばれた場合、この外部基準クロックＥＸＣＬ５００Ｎをそのまま出力する。このようにクロックセレクト回路４２０及び４３０は、選択設定に応じて、水晶発振器４４０のクロックと、外部からの基準クロックＥＸＣＬ５００Ｎとを選択出力する。
【００４７】
水平同期信号作成回路４２２及び４３２は、クロック発生回路４２１及び４３１からの基準クロックＣＬ５００Ｎ、ＣＬ１００Ｎをカウントし、設定された用紙幅に応じた周期を有する水平同期信号ＰＨＳＰを作成する。
【００４８】
信号セレクト回路４２３及び４３３は、水平同期信号作成回路４２２及び４３２からの水平同期信号ＰＨＳＰと、外部からの水平同期信号ＥＸＰＨＳＰとが入力され、選択設定に応じて、生成された水平同期信号ＰＨＳＰと、外部からの水平同期信号ＥＸＰＨＳＰとの中から１つを選択し、出力する。
【００４９】
データカウンタ回路４２４及び４３４は、信号セレクト回路４２３及び４３３からの水平同期信号ＰＨＳＰに同期して、基準クロックＣＬ１００Ｎを計数するカウンタで構成されている。データカウンタ回路４２４及び４３４の出力は、水平同期信号ＰＨＳＰからの各データ(ドットデータ)の位置を示す。
【００５０】
印字書き出し位置調整回路４２５及び４３５は、図９及び図１０において示したように、用紙幅に応じて、印字書き出し位置を調整する。この調整回路４２５及び４３５は、メイン制御部４０(図６参照)からのデコード信号(用紙幅信号)に応じて、入力される印字データをシフトする。
【００５１】
ＬＥＤ発光制御回路４２６及び４３６は、データカウンタ回路４２４及び４３４の出力に応じて、ＬＥＤヘッド１１及び２１の制御信号を作成する。この制御信号は、印字データに応じたシフトパルスと、ＬＥＤヘッドに印字データをラッチさせるためのラッチ信号(図８参照)と、ＬＥＤヘッドを発光させるための発光信号(図８参照)である。
【００５２】
印字データ読出回路４２７及び４３７は、データカウンタ回路４２４及び４３４の出力に応じて、後述するＦＩＦＯメモリ４４１及びバッファメモリ４４２のリードアドレスＲＤを発生する。
【００５３】
ＦＩＦＯメモリ４４１は、上位制御部４１の裏面印字データをバッファするものである。ＦＩＦＯメモリ４４１は、２ライン分の印字データを蓄積するＦＩＦＯメモリで構成され、上位制御部４１と裏面印字制御部４２との速度吸収の役目を果たす。ＦＩＦＯメモリ４４１は、印字データ読出回路４２７のリードアドレスＲＤにより６４ビット単位に読みだされる。
【００５４】
バッファメモリ４４２は、上位制御部４１の表面印字データをバッファするものである。図１に示したように、裏面印刷機構１と表面印刷機構２との転写位置は、距離Ｌだけで離れている。上位制御部４１は、印字データを表面(１頁目)、裏面(２頁目)と連続的に出力する。従って、表面と裏面の印刷を合わせるためには、表面印字データは、裏面印字データに対し、前述の距離Lだけ遅く出力することが必要となる。
【００５５】
バッファメモリ４４２は、この距離Ｌ分だけ表面印字データを遅延させるため、表面印字データを蓄積する。このバッファメモリ４４２は、印字データ読出回路４３７のリードアドレスＲＤにより６４ビット単位に読み出される。
【００５６】
さらに裏面の印字書き出し位置調整回路４２５は、裏面の印字データをメイン制御部４０の用紙幅信号（デコード信号）に応じて、ライン方向にシフトする。前述のように、表面の１ラインの印字データの印字書き出し位置は、用紙変更によって変更することはないが、裏面の１ラインの印字データの印字書き出し位置は、用紙幅に応じて変化するからである。
【００５７】
この印字制御部の動作を説明する。裏面の印字制御部４２には、水晶発振器４４０が接続されている。印字制御部４２のクロックセレクト回路４２０は、この水晶発振器４４０のクロックか、外部の基準クロックＥＸＣＬ５００Ｎを選択するように、設定されている。又、印字制御部４２の信号セレクト回路４２３は、内部の水平同期信号ＰＨＳＰか外部の水平同期信号ＥＸＰＨＳＰを選択するように設定されている。
【００５８】
表面の印字制御部４３においては、そのクロックセレクト回路４３０は、水晶発振器（図示なし）のクロックか、印字制御部４２から出力されてくる基準クロックＥＸＣＬ５００Ｎを選択するように、設定されている。又、印字制御部４３の信号セレクト回路４３３は、内部の水平同期信号ＰＨＳＰか印字制御部４２から出力されてくる水平同期信号ＥＸＰＨＳＰを選択するように設定されている。この信号セレクト回路４３３には、印字制御部４２の水平同期信号ＥＸＰＨＳＰをディレー回路４４で遅延させた水平同期信号が、外部の水平同期信号ＥＸＰＨＳＰとして入力されている。
【００５９】
このため、印字制御部４２では、クロック発生回路４２１の発生した基準クロックＣＬ５００Ｎ、ＣＬ１００Ｎに応じて、各回路４２２、４２４、４２６が動作する。そして、水平同期信号作成回路４２２が発生した水平同期信号ＰＨＳＰに応じて、データカウンタ回路４２４が印字データの位置を示すカウント値を作成する。
【００６０】
このカウント値に応じて、印字データ読出回路４２７は、ＦＩＦＯメモリ４４１の印字データを読み出す。印字データは、印字書き出し位置調整回路４２５に送られる。
【００６１】
他方前記メイン制御部４０は、幅検出手段３の測定回路から送られてきた用紙幅信号をデコードして、シフト量設定値に変換し、印字書き出し位置調整回路４２５に送る。前記図１１に示すように、該印字書き出し位置調整回路４２５には、上記シフト量設定値を格納するレジスタ（図示なし）とバレルシフト回路４２５ａが備えられている。このバレルシフト回路４２５ａは、レジスタからシフト量設定値を入力し、連続紙Ｐの裏面における印字書き出し位置まで、上記印字データをシフトさせる。
【００６２】
それから該印字データは、ＬＥＤヘッド１１に１ラインづつ出力される。このリード動作に同期して、ＬＥＤ発光制御回路４２６は、シフトパルス、ラッチ信号(図８参照)、発光信号(図８参照)を作成して、ＬＥＤヘッド１１に出力する。ＬＥＤヘッド１１では、図１２により後述するように、発光動作する。
【００６３】
又、印字制御部４３では、印字制御部４２のクロック発生回路４２１の発生した基準クロックＥＸＣＬ５００Ｎに応じて、各回路４３２、４３４、４３６が動作する。そして、印字制御部４２の水平同期信号作成回路４２２が発生した水平同期信号ＥＸＰＨＳＰを遅延した水平同期信号に応じて、データカウンタ回路４３４が印字データの位置を示すカウント値を作成する。
【００６４】
このカウント値に応じて、印字データ読出回路４３７は、バッファメモリ４４２の印字データを読み出す。印字データは、印字書き出し位置調整回路４３５を介して、ＬＥＤヘッド２１に１ラインづつ出力される。このリード動作に同期して、ＬＥＤ発光制御回路４３６は、シフトパルス、ラッチ信号(図８参照)、発光信号(図８参照)を作成して、ＬＥＤヘッド２１に出力する。ＬＥＤヘッド２１では、図１２により後述するように、発光動作する。
【００６５】
このようにして、裏面印字制御部４２の基準クロック及び水平同期信号を、表面の印字制御部４３の基準クロック及び水平同期信号に利用しているため、表面と裏面とで印字制御を独立に行っても、表面と裏面の印字位置を同期することができる。
【００６６】
図１２は、図６及び図７に示したＬＥＤヘッドのブロック図である。
【００６７】
図１２に示すように、ＬＥＤヘッド１１又は２１は、直列の印字データをシフトするためのシフトレジスタ１１０を有する。シフトレジスタ１１０は、発光素子分のビット数を有し、シフトパルスに応じて、印字データをシフトする。シフトレジスタ１１０の先には、シフトレジスタ１１０のデータを、ラッチ信号に応じて、ラッチするラッチ回路１１１が設けられている。
【００６８】
各ラッチ回路１１１の出力側には、前記ＬＥＤ発光制御回路４２６又は４３６の発光信号に応じて発光する発光素子(ＬＥＤ)アレイ１１２が設けられている。ＬＥＤアレイ１１２は、感光ドラム１７又は２７に沿って、１ラインの印字ドット分設けられている。
【００６９】
表面と裏面の印字データのシフト方向(走査方向)は、表面と裏面とで逆に設定している。前述のように（図９及び図１０参照）、印字データの転送方向(走査方向)は、表面と裏面とで逆になるように、ＬＥＤヘッド１１及び２１を配置している。
【００７０】
表面と裏面とで印字データの転送方向が同一の場合には、表面又は裏面の印字データを印字制御部又は上位制御部で逆に変換する必要がある。この例では、ＬＥＤヘッド１１及び２１の走査方向を逆に設定しているので、制御部側で表面と裏面の印字データを逆転する複雑な操作が必要ない。
【００７１】
図１３〜図１８は、上記画像形成装置構成における本発明の一実施形態構成を示している。本構成は、前記構成に、さらに連続紙Ｐへの印字を阻止する転写遮蔽手段とその制御構成を付加したものであり、裏面印刷機構１と表面印刷機構２とを有する画像転写手段や、連続紙Ｐの幅を検出する幅検出手段３などの構成は、上述したので、細かい説明は省略する。
【００７２】
本構成では、該画像転写手段及び幅検出手段３の他、上述のように、連続紙Ｐへの印字を阻止する転写遮蔽手段５と、前記幅検出手段３で検出された連続紙Ｐの用紙幅を基に、その幅方向他端側へ前記転写遮蔽手段５を移動させる遮蔽制御手段６とを備えた構成からなる。
【００７３】
転写遮蔽手段５は、裏面印刷機構１と表面印刷機構２の前記転写帯電器１３及び２３の部分に備えられたクリーナ５２に兼用されて設けられている。
【００７４】
転写帯電器１３及び２３は、図１に示すように、連続紙Ｐを挟んで、感光ドラム１７及び２７の反対側に設置されており、現像器１２及び２２で感光ドラム１７及び２７に現像された現像像を、連続紙Ｐに付着・定着せしめるためのものである。そのため図１に示すように、用紙搬送方向上流側には、用紙を裏面から帯電させ、トナーを用紙へ付着させるための転写ワイヤ５０が張設されている。他方、その近傍用紙搬送方向下流側には、帯電した用紙を、転写帯電器１３及び２３から離間させるための除電を行うＡＣ分離ワイヤ５１が張設されている。
【００７５】
そして図１３及びその底面図である図１４、さらに図１３の側面図である図１５に示すように、これらの転写ワイヤ５０及びＡＣ分離ワイヤ５１には、その周面にまとわり着いてその長手方向（用紙幅方向）に摺動するクリーナ５２が設けられている。
【００７６】
該クリーナ５２は、図１６に示すように、転写ワイヤ５０及びＡＣ分離ワイヤ５１にまたがる構成であり、その内側で向かい合うように設置されたクリーナパット５２０が各ワイヤ５０及び５１の周面に接触してセットされており、これを、後述するように、必要に応じて、これらのワイヤの長手方向に移動させることで、ワイヤ表面の付着物を除去する構成である。クリーナ５２を移動させるために、図１７に示すように、ワイヤ長手方向に、移動用のスクリューネジ５３が、転写帯電器１３及び２３に設置され、該スクリューネジ５３を回転させるモータ５４がその他端に固定されると共に、スクリューネジ５３がクリーナ５２のネジ孔５２１に螺入している。
【００７７】
このモータ５４は、前記メイン制御部４０によって、その作動が制御される。そして通常は、電源投入によるリセット時、及び本画像形成装置がアイドル状態にある一定の時に、メイン制御部４０がモータ５４を作動させ、転写ワイヤ５０及びＡＣ分離ワイヤ５１の表面のクリーニングを行う。
【００７８】
本構成では、上記メイン制御部４０が本実施形態における前記遮蔽制御手段６の構成を兼ねている。すなわち、前記幅検出手段３による用紙幅の検出が行われると、前記メイン制御部４０は、転写遮蔽手段５の構成を兼ねたクリーナ５２を、図１８に示すように、前記ホームポジションＨＰとは反対側の用紙幅他側に移動させる。この際メイン制御部４０は、前記モータ５４の回転パルス数をカウントしながら、該モータ５４の制御を行うため、目的の箇所にクリーナ５２を移動せしめることができる。該クリーナ５２は、前述のように、クリーナパット５２０が各ワイヤ５０及び５１の周面を覆うようにセットされているため、これらの転写帯電器１３及び２３による転写帯電を遮蔽することになる。そのため、連続紙Ｐの用紙幅変更があっても、常に連続紙Ｐの端部に、上記転写遮蔽手段であるクリーナ５２が移動して、該端部における帯電の回り込み、及び紙端部の連続孔からの帯電を防ぐことができ、転写品質を損なうことがない。
【００７９】
尚、前記クリーナパット５２０を各ワイヤ５０及び５１の周面に接触させ覆う構成だけでは、上記転写帯電器１３及び２３による転写帯電を完全に遮蔽することは難しいので、図１６に示すように、クリーナパット５２０の開放側は、カバー５５で覆われ、完全な遮蔽ができるようにしている。
【００８０】
図１９〜図２２は、上記実施形態構成における連続紙Ｐの用紙幅検出以下の処理フローを示している。
【００８１】
図１９に示すように、本画像形成装置の電源をＯＮした段階で、イニシャル動作と並行して、用紙幅測定が行われる（ステップＳ１０４）。また本装置の電源投入後においても、オペレータによりオートロードスイッチが押されると、用紙検出センサ全てによって、装置内に紙があるか否かが検出される（ステップＳ１０１）。その結果装置内に紙が全くなければ（ステップＳ１０１；Ｎｏ）、オートロード動作と並行して用紙幅測定が行われる（ステップＳ１０４）。反対に装置内に紙があれば（ステップＳ１０１；Ｙｅｓ）、さらに全用紙検出センサに紙があるか否かが検出される（ステップＳ１０２）。その結果装置内の全紙検出センサに紙ありと検出されれば（ステップＳ１０２；Ｙｅｓ）、用紙の張り具合を調整するためにオペレータが行った用紙幅変更操作や、オペレータがマニュアルで行った用紙セットの後の、用紙幅測定のみを要請するオートロードスイッチ押し下げ操作があったものとして、用紙幅測定が行われる（ステップＳ１０４）。さらに装置内の紙検出センサの一部に紙有りとされるが全部のセンサには紙ありと検出されなかった場合（ステップＳ１０２；Ｎｏ）、用紙片が装置内に残っているので、、オートロード動作はできず、また用紙が完全にセットされてもいないので、必ずその用紙片を取り除いてオートロード操作を行ってからでなければ用紙幅測定を行っても無駄になる。そのため、用紙セット済みエラーを表示・通知し（ステップＳ１０３）、オペレータに用紙片を取り除いて、オートロードを行うことを促す。
【００８２】
以上のようにして、用紙幅測定が行われると、次に本構成では、検出されたその用紙幅に基づき、転写遮蔽手段５のセットが行われる（ステップＳ１０５）。それと共に、用紙裏面に対する印字書き出し位置調整が行われる（ステップＳ１０６）。
【００８３】
ステップＳ１０４の上記用紙幅測定動作は、図２０のようにして行われる。まず、ガイド３３によって、ホームポジションＨＰ側のセンサ７８ａの凹部７９ａが検出されたか否かを判断する（ステップＳ２０１）。該ガイド３３がこの凹部７９ａを検出できない場合（ステップＳ２０１；Ｎｏ）、前記ステッピングモータ３１を作動させて、ガイド３３をホームポジションＨＰ側に移動させ（ステップＳ２０２）、前記ステップＳ２０１に復帰させる。他方、前記ガイド３３が凹部７９ａを検出した場合（ステップＳ２０１；Ｙｅｓ）、測定回路のパルスカウンタをクリアし（ステップＳ２０３）、前記ステッピングモータ３１を作動させる（ステップＳ２０４）。そして測定回路のパルスカウンタでモータ３１の移動パルスをカウントする（ステップＳ２０５）。その途中、ガイド３３によって、用紙幅方向他側の検知を行うセンサ７８ｂの凹部７９ｂが検出されたか否かを判断する（ステップＳ２０６）。ガイド３３がこの凹部７９ｂを検出しない限り（ステップＳ２０６；Ｎｏ）、ステップＳ２０５の移動パルスのカウント処理をループして行う。他方、該ガイド３３がこの凹部７９ｂを検出した場合（ステップＳ２０６；Ｙｅｓ）、ステッピングモータ３１を停止させ（ステップＳ２０７）、上記カウンタでカウントされたパルス数を用紙幅に変換する（ステップＳ２０８）。この用紙幅は、前述のように、メイン制御部４０に出力される。
【００８４】
ステップＳ１０５の上記転写遮蔽手段５のセットは、図２１のようにして行われる。まず、装置内に紙があるか否かを検出する（ステップＳ３０１）。紙がなければ（ステップＳ３０１；Ｎｏ）、本処理を終了する。反対に紙が検出されれば（ステップＳ３０１；Ｙｅｓ）、転写遮蔽手段５を構成する前記クリーナ５２がホームポジションＨＰ側にあるか否かを検出する（ステップＳ３０２）。ホームポジションＨＰ側にあれば（ステップＳ３０２；Ｙｅｓ）、後述するステップＳ３０６に移行する。反対にクリーナ５２がホームポジションＨＰ側になければ（ステップＳ３０２；Ｎｏ）、前記モータ５４を作動させ、ホームポジションＨＰ側に移動させる（ステップＳ３０３）。その途中クリーナ５２がホームポジションＨＰ側に移動したか否かを検出する（ステップＳ３０４）。ホームポジションＨＰ側への移動が終了していなければ（ステップＳ３０４；Ｎｏ）、再びステップＳ３０４に復帰する。反対にクリーナ５２がホームポジションＨＰ側への移動を終了した場合（ステップＳ３０４；Ｙｅｓ）、前記モータ５４を停止せしめる（ステップＳ３０５）。そして上記用紙幅測定動作で測定された用紙幅を、クリーナ５２の移動制御用に、モータ５４の駆動制御のためのパルス数（以下規定パルスという）に変換する（ステップＳ３０６）。次に遮蔽制御手段６を構成するメイン制御部４０のパルスカウンタをクリアする（ステップＳ３０７）。そして前記モータ５４を作動させる（ステップＳ３０８）。そしてメイン制御部４０のパルスカウンタでモータ５４の移動パルスをカウントする（ステップＳ３０９）。その途中、前記ステップＳ３０２で得られた規定パルス数に、カウンタでカウントされている移動パルスが達したか否かを判断する（ステップＳ３１０）。移動パルスが規定パルスに達しない限り（ステップＳ３１０；Ｎｏ）、ステップＳ３０９の移動パルスのカウント処理をループして行う。他方、移動パルスが規定パルスに達した場合（ステップＳ３１０；Ｙｅｓ）、前記モータ５４を停止させる（ステップＳ３１１）。
【００８５】
前記ステップＳ１０６の裏面書き出し位置調整は、図２２のようにして行われる。まずメイン制御部４０で、ホストコンピュータからの印刷コマンドの受信があったか否かを検出する（ステップＳ４０１）。該コマンドの受信がなかった場合（ステップＳ４０１；Ｎｏ）、処理は終了する。反対に該コマンドの受信があった場合（ステップＳ４０１；Ｙｅｓ）、同じくメイン制御部４０で、そのコマンドに含まれる命令が両面印刷のものか否かを判断する（ステップＳ４０２）。両面印刷でなければ（ステップＳ４０２；Ｎｏ）、そのまま印刷を開始する（ステップＳ４０５）。反対に両面印刷であれば（ステップＳ４０２；Ｙｅｓ）、メイン制御部４０は、幅検出手段３の測定回路から送られてきた用紙幅信号をデコードして、シフト量設定値に変換する（ステップＳ４０３）。すなわち裏面の印字書き出し位置を計算する。メイン制御部４０は、これを印字書き出し位置調整回路４２５に送って、裏面書き出し位置の設定を行わせる（ステップＳ４０４）。それから印刷処理を行う（ステップＳ４０５）。
【００８６】
以上の処理によって、連続紙Ｐに対し両面印刷を行う場合、前記遮蔽制御手段６が、幅検出手段３で検出された用紙幅を基に、その幅方向に前記転写遮蔽手段５を構成するクリーナ５２を移動させ、該クリーナ５２によって、連続紙Ｐの他端側での画像転写手段による画像転写を阻止する。そのため、用紙幅変更があっても、常に連続紙Ｐの端部に上記クリーナ５２が移動して、該端部における帯電の回り込み及び連続孔における帯電の回り込みを防ぐことができ、この部分の転写品質を損なうことがない。
【００８７】
また前記画像形成制御手段４を構成するメイン制御部４０によって、測定された用紙幅を基に印字書き出し位置が決定され、画像転写手段の裏面印刷機構１に対し印刷制御を行って、その印字書き出し位置から印字処理を開始させるようになる。そのため、用紙幅変更が行われた場合でも、裏面の印字書き出し位置が、所定の位置に設定できるようになる。
【００８８】
図２３は、本発明のさらに他の実施の形態のブロック図である。図２３において、図６及び図７で示したものと同一のものは、同一の記号で示してある。第１のセレクタ４５は、表面印字データと裏面印字データを入力される。第１のセレクタ４５は、両面印刷時には、表面印字データを表面印字制御部４３に出力し、裏面印字データを裏面印字制御部４２に出力する。そして、片面印刷時には、表面印字データを裏面印字制御部４２に出力する。
【００８９】
バッファメモリ制御部４４２ａは、図７で示したバッファメモリ４４２を制御する。第２のセレクタ４６は、表面印字制御部４３の表面印字データと裏面印字制御部４２の裏面印字データを入力される。第２のセレクタ４６は、両面印刷時には、表面印字データを表面ＬＥＤヘッド２１に出力し、裏面印字データを裏面ＬＥＤヘッド２１に出力する。そして、片面印刷時には、裏面印字制御部４２からの表面印字データを表面ＬＥＤヘッド１１に出力する。
【００９０】
この例では、用紙の両面を印刷する両面印刷機を、用紙の片面のみを印刷する片面印刷機への転用を考慮している。前述したように、表面の印刷機構２と裏面の印刷機構１とは、距離Ｌだけ離れているので、表面の印刷制御部４３にバッファメモリ４４２を必要としている。また両面印刷の際には、前述のように、印字制御部４２の印字書き出し位置調整回路４２５には、メイン制御部４０から、用紙幅信号（シフト量設定値）が送られ、これに応じて、印字書き出し位置調整回路４２５は、このシフト量設定値に対応した、連続紙Ｐの裏面における印字書き出し位置まで、上記印字データをシフトさせる。この両面印刷機を片面印刷機に転用するには、表面の印刷機構２と表面の印字制御部４３とを設ける必要がある。即ち、印刷機構を１つとし、印字制御部を１つとする。
【００９１】
この両面印刷機の構成を利用するには、片面印刷機でありながら、バッファメモリ４４２が必要となるという欠点が生じる。又は、片面印刷機に転用した場合に、バッファメモリ４４２を削除した表面の印字制御部を用意する必要がある。
【００９２】
この両面印刷機の構成を、片面印刷機にも利用するため、本実施例では、セレクタ４５、４６を設けて、表面印字データを裏面印字制御部４２で処理して、表面ＬＥＤヘッド２１に出力する。このようにすると、片面印刷機では、表面の印刷機構２と、裏面の印字制御部４２を設けることにより実現できる。このため、両面印刷機の構成を利用しても、バッファメモリが不要となり、片面印刷機のコストを低減することができる。又、両面印刷機の構成をそのまま利用できるため、更にコストを低減できる。
【００９３】
上述の実施の態様の他に、本発明は、次のような変形が可能である。
(１)印刷機構を、電子写真機構で説明したが、他の露光により画像形成する印刷機構を適用できる。
(２)露光源を、LEDヘッドにより説明したが、液晶シャッタ機構、レーザー走査機構等他の露光源を用いることができる。
【００９４】
以上、本発明の実施の形態により説明したが、本発明の主旨の範囲内で種々の変形が可能であり、これらを本発明の範囲から排除するものではない。
【００９５】
【発明の効果】
以上、説明したように本発明の請求項１記載の画像形成装置によれば、前記遮蔽制御手段が、幅検出手段で検出された記録媒体の幅を基に、その幅方向に前記転写遮蔽手段を移動させ、該転写遮蔽手段によって、記録媒体の前記他端側での画像転写手段の画像転写を阻止するため、記録媒体の幅の変更があっても、常に記録媒体端部に上記転写遮蔽手段が移動して、該端部における帯電の回り込みを防ぐことができ、転写品質を損なうことがないという優れた効果を有している。
【００９６】
さらに、本願請求項２〜８記載の画像形成装置における幅検出手段の構成によれば、少なくとも一方は記録媒体の幅方向に移動可能で且つ該記録媒体の送りを行う送り手段の夫々に、検知手段を夫々固定しており、測定手段が、両検知手段間を移動して両間の距離を測定することで、記録媒体の幅を測定することができるため、記録媒体の幅変更があった際に、安価な構成で、どのような幅のものでも、自動的に幅検出ができるようになるという優れた効果を有している。
【図面の簡単な説明】
【図１】両面印刷構成を備えた本発明の一実施の形態の画像形成装置の構成図である。
【図２】本画面形成装置の構成要素を示すブロック図である。
【図３】用紙搬送トラクタ７及びその近傍に設置された幅検出手段３の構成を示す平面図である。
【図４】上流側のトラクタ７０ａ及び７０ｂに取り付けられたセンサ７８ａ及びセンサ７８ｂの設置位置を示す説明図である。
【図５】センサ７８ａ及びセンサ７８ｂの凹部７９ａ及び７９ｂの設置状態を示す説明図である。
【図６】画像形成制御手段４を構成する回路ブロック図である。
【図７】図６の印字制御部の回路図である。
【図８】図６の印字制御部のタイムチャートである。
【図９】ＬＥＤヘッドの印字書き出し位置の説明図である。
【図１０】ＬＥＤヘッドの走査方向の説明図である。
【図１１】印字書き出し位置調整回路４２５による印字データのシフト構成を示す説明図である。
【図１２】図６及び図７に示したＬＥＤヘッドのブロック図である。
【図１３】転写帯電器１３及び２３に設置されたクリーナ５２の構成を示す正面図である。
【図１４】図１３の底面図である。
【図１５】図１３の側面図である。
【図１６】転写ワイヤ５０及びＡＣ分離ワイヤ５１にまたがるクリーナ５２の構成を示す断面図である。
【図１７】移動用のスクリューネジ５３の設けられた転写帯電器１３及び２３の構成を示す正面図である。
【図１８】遮蔽制御手段６によってクリーナ５２をホームポジションＨＰとは反対側の用紙幅他側に移動させた状態を示す説明図である。
【図１９】本実施形態構成における連続紙Ｐの用紙幅検出以下の処理フローを示すフローチャートである。
【図２０】図１９における用紙幅測定動作の詳細を示すフローチャートである。
【図２１】図１９における転写遮蔽手段のセット動作の詳細を示すフローチャートである。
【図２２】図１９における裏面印字書き出し位置調整動作の詳細を示すフローチャートである。
【図２３】本発明のさらに他の実施の形態のブロック図である。
【符号の説明】
１            裏面印刷機構
２            表面印刷機構
３            幅検出手段
４            画像形成制御手段
５            転写遮蔽手段
６            遮蔽制御手段
７            用紙搬送トラクタ
８            定着器
１０            帯電器
１１、２１      ＬＥＤヘッド
１２、２２      現像器
１３、２３      転写帯電器
１４、２４      転写ガイドローラ
１５、２５      クリーナ
１６、２６      除電ランプ
１７、２７      感光ドラム
２０            帯電器
３０ａ、３０ｂ  プーリ
３１            ステッピングモータ
３２            タイミングベルト
３３            ガイド
４０            メイン制御部
４１            上位制御部
４２            裏面印字制御部
４３            表面印字制御部
４４            ディレー回路
４５、４６      セレクタ
５０            転写ワイヤ
５１            ＡＣ分離ワイヤ
５２            クリーナ
５３            スクリューネジ
５４            モータ
５５            カバー
７０ａ〜７０ｄ  トラクタ
７１            回転軸
７２ａ〜７２ｄ  プーリ
７３ａ、７３ｂ  タイミングベルト
７４ａ〜７４ｄ  プーリ
７５ａ、７５ｂ  タイミングベルト
７６            モータ
７７ａ、７７ｂ  回転軸
７８ａ、７８ｂ  センサ
７９ａ、７９ｂ  凹部
９０            ホッパ
９１            スタッカ
９２            中和帯電器
９３            ガイドローラ
１１０            シフトレジスタ
１１１            ラッチ回路
１１２            ＬＥＤアレイ
４２０、４３０    クロックセレクト回路
４２１、４３１    クロック発生回路
４２２、４３２    水平同期信号作成回路
４２３、４３３    信号セレクト回路
４２４、４３４    データカウンタ回路
４２５、４３５    印字書き出し位置調整回路
４２５ａ          バレルシフト回路
４２６、４３６    発光制御回路
４２７、４３７    印字データ読出回路
４４０            水晶発振器
４４１            ＦＩＦＯメモリ
４４２            バッファメモリ
４４２ａ          バッファメモリ制御部
５２０            クリーナパット
５２１            ネジ孔
Ｐ            連続紙
【図１】
0003656605.tif 000002
【図２】
0003656605.tif 000003
【図３】
0003656605.tif 000004
【図４】
0003656605.tif 000005
【図５】
0003656605.tif 000006
【図６】
0003656605.tif 000007
【図７】
0003656605.tif 000008
【図８】
0003656605.tif 000009
【図９】
0003656605.tif 000010
【図１０】
0003656605.tif 000011
【図１１】
0003656605.tif 000012
【図１２】
0003656605.tif 000013
【図１３】
0003656605.tif 000014
【図１４】
0003656605.tif 000015
【図１５】
0003656605.tif 000016
【図１６】
0003656605.tif 000017
【図１７】
0003656605.tif 000018
【図１８】
0003656605.tif 000019
【図１９】
0003656605.tif 000020
【図２０】
0003656605.tif 000021
【図２１】
0003656605.tif 000022
【図２２】
0003656605.tif 000023
【図２３】
0003656605.tif 000024